(57)【特許請求の範囲】
【請求項１】
カバーと基台からなる絶縁筐体の内部に配設され外部からON，OFF操作可能なハンドルと，基台に装着された固定接点板と，この固定接点板に対向して接離する可動接点板と，この可動接点板を駆動するクロスバーとを備え，一方をハンドルのリンク軸支部に軸支された第一のリンクと，該リンクの他方にはローラ軸と，異常電流がない状態ではローラ軸の移動を規制し，異常電流を検出した状態ではローラ軸の移動規制を解く係合部を備え，異常電流がない状態ではハンドルのＯＮ操作によりローラ軸がクロスバーを押さえて可動接点板を固定接点板に接触させる構造を備えた回路遮断器において，固定接点板の固定接点と可動接点板の可動接点が溶着した状態で，前記係合部が解除されてローラ軸のクロスバーに対する押し圧が解除されたとき，ハンドルがON位置からOFF位置へ移動せずON位置とOFF位置の中間位置に停止するように，クロスバーとハンドルのリンク軸支部間に，両端に穴を備えた第二のリンクであって，片方または両方の穴は長穴とした連結部材を設けたことを特徴とする回路遮断器。
【発明の詳細な説明】
【０００１】
【発明の属する技術分野】
この発明は回路遮断器に関し，特に，その開閉機構の改良に関するものである。
【０００２】
【従来の技術】
図１は従来の回路遮断器の側断面図であり，回路遮断器が閉路状態を示す。図２は，図１の回路遮断器のクロスバーに可動接点板を組み込んだ状態を示す斜視図である。図３は，図１の回路遮断器が開路状態であるときを示す側断面図である。図４は，図１の回路遮断器の接点が溶着しトリップした状態を示す側断面図である。
【０００３】
図１〜図４において，１はカバー，２は基台であり，いずれも合成樹脂で形成され，回路遮断器の絶縁筐体を構成している。３はハンドルであり，外部から回路遮断器の接点の開閉をおこなう。４は基台２に固定された固定接点板であり，固定接点６が固着されている。７は可動接点板であり，固定接点６に対向して接離する可動接点８が固着されている。
【０００４】
９は接点ばねであり，基台２の凹部２ａと可動接点板７間に装着され，可動接点板７を固定接点板４から開離する方向に付勢する。１０は絶縁材で形成されたクロスバーであり，図２に示すように可動接点板７を脱落防止して組み付けてあり，基台２に設けられた溝２ｂ内を可動接点８が固定接点６に対向して接離する方向に摺動する。
【０００５】
１１はリンクであり，一端部はハンドル３にリンク軸１２で軸支され，他端部はローラ軸１３によりクロスバー１０の上部端面１０ｄと接離自在に当接する。１４は爪片であり，ハンドル３の回転軸１５に一端部を軸支され，かつ爪片先端部１４ａがローラ軸１３に当接する。１６は作動板であり，ほぼ中心部分を軸１７で回転自在に軸支され，一端部は前記爪片１４ａに当接する。なおハンドル３と，リンク１１と，リンク軸１２と，ローラ軸１３と，クロスバ−１０と，爪片１４とにより開閉機構が構成されている。１９は電磁石装置であり，可動鉄片２０を有する。図1に示す状態においては，ハンドルはON位置にある。
【０００６】
このような従来の回路遮断器においては，接点が閉路状態になっている図１において，ハンドル３をOFF方向（時計方向）に倒せば，ハンドル3とリンク１１とリンク軸１２とローラ軸１３で構成されるリンク機構がく字状に屈曲され，クロスバー１０は接点ばね９の付勢力により可動接点板７とともに図１において上方向に押し上げられ，可動接点８が固定接点６から開離され，図３に示す開路状態となる。この状態においては，ハンドル３はOFF位置にある。
【０００７】
図１に示す閉路状態で回路に異常電流が流れると，電磁石部１９により可動鉄片２０が固定鉄心２１に吸引され，可動鉄片２０の可動部２０ａが作動板１６の作動部１８を蹴ることにより，作動板１６が軸１７を中心に反時計方向に回動し，作動板１６と爪片１４との係合が外れ，ローラ軸１３はクロスバー１０の上部端面１０ｄから外れる。クロスバー１０は，接点ばね９の付勢力により可動接点板７とともに接点開離方向に押し上げられ，可動接点８が固定接点６から開離され，図３に示すようにハンドル３およびリンク機構はOFF状態の位置になり，自動引き外しを完了する。
【０００８】
【発明が解決しようとする課題】
上記のような従来の回路遮断器は，開閉機構部のローラ軸１３が，クロスバー１０の上部端面１０ｄに可動接点板７の閉路方向のみに押圧し，接離自在に当接する分離した構成である。このため，図３に示すように異常電流が発生して可動接点８と固定接点６が溶着し閉路状態にあっても，ハンドル３はOFF位置に移動してしまう。ハンドルがOFF状態にあるために，使用者はハンドルの位置から，接点は開路状態であるとの誤認を生じ，安全性が低下している。
【０００９】
この発明の目的は，上記のように可動接点と固定接点が溶着時に開路状態であるとの誤認を防止できることができる回路遮断器を得ることである。
【００１０】
【課題を解決するための手段】
本件の発明は，カバーと基台からなる絶縁筐体の内部に配設され外部からON，OFF操作可能なハンドルと，基台に装着された固定接点板と，この固定接点板に対向して接離する可動接点板と，この可動接点板を駆動するクロスバーとを備え，一方をハンドルのリンク軸支部に軸支された第一のリンクと，該リンクの他方にはローラ軸と，異常電流がない状態ではローラ軸の移動を規制し，異常電流を検出した状態ではローラ軸の移動規制を解く係合部を備え，異常電流がない状態ではハンドルのＯＮ操作によりローラ軸がクロスバーを押さえて可動接点板を固定接点板に接触させる構造を備えた回路遮断器において，固定接点板の固定接点と可動接点板の可動接点が溶着した状態で，前記係合部が解除されてローラ軸のクロスバーに対する押し圧が解除されたとき，ハンドルがON位置からOFF位置へ移動せずON位置とOFF位置の中間位置に停止するように，クロスバーとハンドルのリンク軸支部間に，両端に穴を備えた第二のリンクであって，片方または両方の穴は長穴とした連結部材を設けたことを特徴とする回路遮断器を提供したものである。
【００１２】
【発明の実施の形態】
この発明の第１実施の形態を図５〜図１０により説明する。図５は開路遮断器の外観斜視図，図６は回路遮断器が閉路状態を示す内部側断面図，。図７は，図６の回路遮断器が開路状態であるときを示す側断面図である。図８は，図６の回路遮断器のハンドルをON方向に保持した状態でのトリップ状態を示す側断面図である。図９は，図６の回路遮断器の接点が溶着した状態でのトリップ状態を示す側断面図である。図１０は，図６の回路遮断器のクロスバーに可動接点板を組み込んだ状態を示す斜視図である
【００１３】
図５〜図１０において，１〜９，１１〜２０は上記従来装置と同様なものであり，その説明を省略する。３０は可動接点板７を駆動するクロスバーであり，図１０に詳細構造を示すように，絶縁材で形成され，可動接点板７の脱落を防止し保持するための□状の貫通孔３０ａと，可動接点板７の抜けを防止し回動自在に保持する突起３０ｂが複数形成され，全極に併設されたそれぞれの可動接点板７の略中央部を可動軸受け７ａで突起３０ｂに係支している。３０ｄはローラ軸１３が係合するローラ係合部である。また，３０ｅは連結部材３１を連結する引掛け部である。なお，クロスバー３０は基台２に形成された溝部２ｂ内を可動接点８が固定接点６に対向して接離する方向，すなわち図６において上下方向に摺動する。３１はリンク軸１２とクロスバー３０の引掛け部３０ｅを連結する連結部材であり，連結部材３１には両端に連結用の穴を設け一端部の穴３１ａは，ハンドルを外部からON状態に保持した状態においても，異常電流発生時には可動接点８の開極を阻害することがないように長穴としたものである。
【００１４】
この回路遮断器においては，接点が閉路状態になっている図６において，ハンドル３をOFF方向（時計方向）に倒せば，ハンドル3とリンク１１とリンク軸１２とローラ軸１３で構成されるリンク機構がく字状に屈曲され，クロスバー３０は接点ばね９の付勢力により可動接点板７と共に図６において上方向に押し上げられ，可動接点８が固定接点６から開離され，図７に示す開路状態となる。
【００１５】
図６に示す閉路状態で回路に異常電流が流れると，電磁石部１９により可動鉄片２０が固定鉄心２１に吸引され，可動鉄片２０の作動部２０ａが作動板１６の作動部１８を蹴ることにより，作動板１６が軸１７を中心に反時計方向に回動し，作動板１６と爪片１４との係合が外れ，ローラ軸１３はクロスバー３０のローラ当接部３０ｄから外れる。クロスバー３０は，接点ばね９の付勢力により可動接点板７とともに接点開離方向に押し上げられ，可動接点８が固定接点６から開離され，図７に示すようにハンドル３およびリンク機構はOFF状態の位置になり自動引き外しを完了する。
【００１６】
同様に，ハンドルを外部からON状態に保持した状態においても，異常電流発生時には図８に示すようにクロスバー３０の引掛け部３０ｅが連結部材３１の長穴３１ａ内を，接点閉路状態の位置(図６に示す位置)から可動接点８の開極を阻害することなく移動する。
【００１７】
図９は，閉路状態で回路に異常電流が流れ，可動接点８と固定接点が溶着した状態で，作動板１６と爪片１４との係合が解除されて，可動接点８が固定接点６から開離しない場合をしめす。この状態において，図９に示すように作動板１６と爪片１４との係合が解除されると，ローラ軸１３はクロスバー３０のローラ当接部３０ａから外れ，ハンドル３は，図示しないハンドルばねの付勢力によりOFF方向（時計方向）へ駆動されるが，可動接点８と固定接点６の溶着力により固定されたクロスバー３０の引掛け部３０ｅとリンク軸１２を，連結部材３１で連結しているため，ハンドル３はOFF位置まで移動できずON位置とOFF位置の中間位置で停止する。
【００１８】
この結果，ハンドル３により，トリップ状態であることを表示できるとともに，接点溶着状態であることが表示されることとなり，開路状態であるとの誤認を防止できる。
【００１９】
図１１（Ａ）〜（Ｄ）は，図６から図１０における，ハンドル３と連結部材３１とクロスバー３０の関係のみを抽出して説明した図であり，（Ａ）は図６に，（Ｂ）は図７に，（Ｃ）は図８に，（Ｄ）は図９にそれぞれ対応している。
【００２０】
【発明の効果】
以上のように、本件の発明によれば、電路の異常により，機構はトリップ状態であっても，可動接点と固定接点が溶着している場合は，ハンドルがＯＮとＯＦＦの中間位置に停止して，接点が開いているとの誤認を防止できることができる回路遮断器を提供でき，安全性を向上できる。
【図面の簡単な説明】
【図１】従来の回路遮断器が接点閉状態である構造図。
【図２】従来の回路遮断器のクロスバーと可動接点板の組み合わせ図。
【図３】従来の回路遮断器が接点開状態である構造図。
【図４】従来の回路遮断器が接点溶着をおこしてトリップした状態の図。
【図５】回路遮断器の外観図。
【図６】本件発明の回路遮断器が接点閉状態である構造図。
【図７】本件発明の回路遮断器が接点開状態である構造図。
【図８】本件発明の回路遮断器のハンドルをＯＮ拘束してトリップしたときの図。
【図９】本件発明の回路遮断器が接点溶着状態でトリップしたときの図。
【図１０】本件発明のクロスバーと可動接点板と連結部材の組み合わせ説明図。
【図１１】本件発明の要部の状態説明図。
【符号の説明】
１   カバー
２   基台
３   ハンドル
４   固定接点板
６   固定接点
７   可動接点板
８    可動接点
９    接点ばね
１１  リンク
１２  連結軸
１３  ローラー軸
１４  爪片
１６  作動板
２０  鉄片
３０  クロスバー
３１  連結部材（第二のリンク）
【図１】
0004633904.tif 000002
【図２】
0004633904.tif 000003
【図３】
0004633904.tif 000004
【図４】
0004633904.tif 000005
【図５】
0004633904.tif 000006
【図６】
0004633904.tif 000007
【図７】
0004633904.tif 000008
【図８】
0004633904.tif 000009
【図９】
0004633904.tif 000010
【図１０】
0004633904.tif 000011
【図１１】
0004633904.tif 000012